(57)【要約】【課題】緊急地震速報を受信したときに、地震レベルに応じて装置保全および患者の保護を行う。【解決手段】緊急地震速報受信部２２ａは、気象庁コンピュータ装置から配信される緊急地震速報を受信し、それを装置縮退制御部２２ｂに供給する。装置縮退制御部２２ｂは、緊急地震速報受信部２２ａから供給された緊急地震速報から地震レベルを検知する。装置縮退制御部２２ｂは、緊急地震速報記憶部２２ｃに記憶されている装置縮退テーブルを参照し、検知した地震レベルに応じた装置縮退の設定情報を読み出す。装置縮退制御部２２ｂは、読み出した装置縮退の設定情報に基づいて、医用画像診断装置２２の各部を制御する。【選択図】図２
2010131361.tif 000002
【特許請求の範囲】
【請求項１】
地震レベルに応じた装置縮退に関する情報を記憶する記憶手段と、
緊急地震速報を受信する受信手段と、
前記受信手段により前記緊急地震速報が受信されたとき、前記緊急地震速報から地震レベルを検知し、検知した地震レベルに応じた装置縮退に関する情報を前記記憶手段から読み出して各部を制御する装置縮退制御手段と
を備えることを特徴とする医用画像診断装置。
【請求項２】
前記装置縮退制御手段は、さらに、前記地震レベルに応じて警告表示するように制御する
ことを特徴とする請求項１に記載の医用画像診断装置。
【請求項３】
前記装置縮退制御手段は、さらに、前記地震レベルに応じて警告アナウンスするように制御する
ことを特徴とする請求項１または請求項２に記載の医用画像診断装置。
【請求項４】
前記装置縮退に関する情報は、少なくとも、Ｘ線照射停止、インジェクタ停止、ウォームアップ前状態、および主電源オフのいずれかを含む
ことを特徴とする請求項１乃至請求項３のいずれかに記載の医用画像診断装置。
【発明の詳細な説明】
【技術分野】
【０００１】
本発明は、医用画像診断装置に関し、特に、地震発生前に配信される緊急地震速報を受信したときに、地震レベルに応じて装置保全および患者の保護を行う医用画像診断装置に関する。
【背景技術】
【０００２】
地震発生時、医療施設では、技師や医師などが地震の揺れの程度を判断して、医療機器の電源をオフしている。また、地震の規模が大きい場合には、医療施設の責任者が、患者やスタッフに対し、避難経路を指示したりして、その都度対処している。
【０００３】
ところで、地震発生を検知することができれば、迅速に次の行動をとることができる。そこで、例えば、特許文献１には、地震発生を検知して地震情報を迅速に伝えることにより、データをバックアップするなどの地震災害に備える仕組みが提案されている。
【先行技術文献】
【特許文献】
【０００４】
【特許文献１】特開２００７−２７１４７８号公報
【発明の概要】
【発明が解決しようとする課題】
【０００５】
特許文献１の技術を医療分野に適用した場合、地震情報が通知されたときに、技師や医師が医療機器の電源をオフしなければならないが、地震が発生している最中での医療機器の操作は、危険であり、地震規模によっては、操作すらできない恐れがあった。
【０００６】
また、医療機器の電源をオフすることができなかった場合、揺れの影響による電気的トラブルから、火災の発生や機器故障などを引き起こす可能性が考えられる。
【０００７】
さらに、地震発生時には、治療中または検査中の患者が急に起き上がるなどの恐れもあり、危険であった。
【０００８】
本発明はこのような状況に鑑みてなされたものであり、その目的は、地震発生前に配信される緊急地震速報を受信したときに、地震レベルに応じて装置保全および患者の保護を行う医用画像診断装置を提供することである。
【課題を解決するための手段】
【０００９】
請求項１記載の本発明の特徴は、地震レベルに応じた装置縮退に関する情報を記憶する記憶手段と、緊急地震速報を受信する受信手段と、受信手段により緊急地震速報が受信されたとき、緊急地震速報から地震レベルを検知し、検知した地震レベルに応じた装置縮退に関する情報を記憶手段から読み出して各部を制御する装置縮退制御手段とを備える。
【発明の効果】
【００１０】
本発明によれば、地震発生前に配信される緊急地震速報を受信したときに、地震レベルに応じて装置保全および患者の保護を行うことが可能となる。
【図面の簡単な説明】
【００１１】
【図１】医用装置保全システムの構成例を示す図である。
【図２】医用画像診断装置の機能構成例を示す図である。
【図３】装置縮退テーブルの情報例を示す図である。
【図４】装置縮退制御処理を説明するフローチャートである。
【図５】装置縮退テーブルの他の情報例を示す図である。
【図６】他の装置縮退制御処理を説明するフローチャートである。
【発明を実施するための形態】
【００１２】
以下、本発明の実施の形態について図面を参照して詳細に説明する。
【００１３】
図１は、本発明を適用した医用装置保全システムの構成例を示す図である。この医用装置保全システムにおいては、気象庁コンピュータ装置１０、医療施設２０内に設置される受信端末２１、および、医用画像診断装置２２−１乃至２２−３から構成されている。
【００１４】
気象庁コンピュータ装置１０は、気象庁が管轄するコンピュータ装置であって、地震発生の数秒乃至数十秒前に緊急地震速報を配信する。地震は、Ｐ波と呼ばれる小さな揺れのあと、Ｓ波と呼ばれる大きな揺れが来ることがわかっている。そこで、気象庁では、このＰ波をとらえ、地震の規模や震源地を予測し、大きな揺れのＳ波が来ると予測した場合、地震発生の数秒から数十秒前に緊急地震速報を配信するようになされている。
【００１５】
医療施設２０内に設置される受信端末２１と、医用画像診断装置２２−１乃至２２−３は、バス２３を介して互いに接続されている。
【００１６】
受信端末２１は、一般的なコンピュータ装置からなり、プログラムとこのプログラム処理に必要となるデータを記憶する主記憶装置（例えばHDD（Hard Disc Drive））、プログラムやデータに基づいて演算処理を行なうCPU(Central Processing Unit)、ROM（Read Only Memory）、およびRAM（Random Access Memory）などから構成されている。受信端末２１は、気象庁コンピュータ装置１０から配信されてきた緊急地震速報を受信し、バス２３を介して医用画像診断装置２２−１乃至２２−３に供給する。
【００１７】
医用画像診断装置２２−１乃至２２−３は、Ｘ線CT（Computed Tomography）装置、超音波画像診断装置、またはMRI（Magnetic Resonance Imaging）装置などで構成される。以下、本実施の形態では、Ｘ線CT装置を例に挙げて説明する。
【００１８】
医用画像診断装置２２−１乃至２２−３は、受信端末２１からバス２３を介して供給された緊急地震速報を受信したとき、地震レベルを判断し、その地震レベルに応じて装置保全の制御を行う。これにより、地震発生前に、迅速かつ的確に装置を保全するとともに患者の保護を行うことができる。
【００１９】
医用画像診断装置２２−１乃至２２−３には、それぞれ、インジェクタ（自動造影剤挿入装置）２３−１乃至２３−３が接続されている。インジェクタ２３−１乃至２３−３は、所定の注入量、かつ、所定の注入速度で、被検体への造影剤の注入を行う。
【００２０】
なお、本実施の形態では、受信端末２１が緊急地震速報を受信するようにしているが、医用画像診断装置２２-１乃至２２−３がそれぞれ気象庁コンピュータ装置１０から配信される緊急地震速報を直接受信するようにしてもよい。また、医用画像診断装置２２−１乃至２２−３およびインジェクタ２３−１乃至２３−３の数は任意であり、図１に示されるように３つに限られるものではない。以下において、医用画像診断装置２２−１乃至２２−３を個々に区別する必要が無い場合、単に、医用画像診断装置２２と称する。またインジェクタ２３−１乃至２３−３を個々に区別する必要が無い場合、単に、インジェクタ２３と称する。
【００２１】
図２は、医用画像診断装置２２の機能構成例を示すブロック図である。
【００２２】
緊急地震速報受信部２２ａは、受信端末２１からバス２３を介して供給される緊急地震速報を受信し、それを装置縮退制御部２２ｂに供給する。この緊急地震速報受信部２２ａが、緊急地震速報を受信する受信手段として機能する。
【００２３】
装置縮退制御部２２ｂは、緊急地震速報受信部２２ａから供給された緊急地震速報から地震レベルを検知する。装置縮退制御部２２ｂは、緊急地震速報記憶部２２ｃに記憶されている装置縮退テーブルを参照し、検知した地震レベルに応じた装置縮退の設定情報を読み出す。装置縮退制御部２２ｂは、読み出した装置縮退の設定情報に基づいて、医用画像診断装置２２の各部を制御するとともに、インジェクタ２３を制御する。この装置縮退制御部２２ｂが、地震レベルに応じた装置縮退に関する情報に基づいて各部を制御する装置縮退制御手段として機能する。
【００２４】
緊急地震速報記憶部２２ｃは、予め管理者によって登録された装置縮退の設定情報をテーブルとして記憶している。装置縮退とは、地震発生によって医用画像診断装置２２が異常終了したり、あるいは、システム障害を引き起こしたりしないようにするために、装置を保全する運転を行うことである。この緊急地震速報記憶部２２ｃが、地震レベルに応じた装置縮退に関する情報を記憶する記憶手段として機能する。
【００２５】
図３は、緊急地震速報記憶部２２ｃに記憶される装置縮退テーブルの情報例を示す図である。
【００２６】
図３の例では、地震レベルが震度１の場合に、モニタメッセージおよび音声が「なし」の装置縮退の設定情報が記憶されている。地震レベルが２の場合に、モニタメッセージおよび音声が「あり」の装置縮退の設定情報が記憶されている。地震レベルが震度３の場合に、モニタメッセージおよび音声が「あり」、Ｘ線照射Stopが「○」の装置縮退の設定情報が記憶されている。地震レベルが震度４の場合に、モニタメッセージおよび音声が「あり」、Ｘ線照射Stopが「○」の装置縮退の設定情報が記憶されている。地震レベルが震度５の場合に、モニタメッセージおよび音声が「あり」、Ｘ線照射Stopおよびウォームアップ前状態が「○」の装置縮退の設定情報が記憶されている。地震レベルが震度６以上の場合に、モニタメッセージおよび音声が「あり」Ｘ線照射Stop、ウォームアップ前状態、および主電源Offが「○」の装置縮退の設定情報が記憶されている。
【００２７】
なお、ウォームアップとは、装置使用前にＸ線を照射して、装置の温度を適正な状態に上げることである。また、この際、エアキャリブ用の補正データの収集も同時に行われる。ウォームアップ前状態とは、医用画像診断装置２２を、ウォームアップおよびエアキャリブ用の補正データの収集前の状態にすることであり、再度、ウォームアップおよびエアキャリブ用の補正データの収集を行わないと撮影を再開することができない状態に戻すことである。
【００２８】
次に、図４のフローチャートを参照して、医用画像診断装置２２における装置縮退制御処理について説明する。
【００２９】
ステップＳ１において、緊急地震速報受信部２２ａは、受信端末２１から緊急地震速報を受信したか否かを判定し、緊急地震速報を受信するまで待機する。そして、緊急地震速報受信部２２ａは、緊急地震速報を受信したと判定した場合、緊急地震速報を装置縮退制御部２２ｂに供給し、ステップＳ２に進む。
【００３０】
ステップＳ２において、装置縮退制御部２２ｂは、ステップＳ１の処理で受信された緊急地震速報から地震レベルを検知する。ステップＳ３において、装置縮退制御部２２ｂは、ステップＳ２の処理による検知結果から、地震レベルが震度２以上であるか否かを判定し、地震レベルが震度２以上であると判定した場合、ステップＳ４に進む。
【００３１】
ステップＳ４において、装置縮退制御部２２ｂは、緊急地震速報記憶部２２ｃに記憶されている装置縮退テーブル（図３）を参照し、地震レベルが震度２以上の場合のモニタメッセージと音声の装置縮退の設定情報を読み出す。これにより、モニタメッセージおよび音声が「あり」の装置縮退の設定情報が読み出される。そして、装置縮退制御部２２ｂは、読み出した装置縮退の設定情報に基づいて、図示せぬモニタに、例えば、「発生場所、予想震度、到達時刻、震度×××の揺れが起こります。注意してください。」といったメッセージを警告表示させる。
【００３２】
ステップＳ５において、装置縮退制御部２２ｂは、読み出した装置縮退の設定情報に基づいて、図示せぬスピーカに、例えば、「震度×××の揺れが起こります。注意してください。」といった音声を警告アナウンス（再生）させる。
【００３３】
ステップＳ６において、装置縮退制御部２２ｂは、地震レベルが何であるかを判定し、地震レベルが震度２であると判定した場合、装置縮退は行わず、処理を終了する。一方、装置縮退制御部２２ｂは、ステップＳ６において、地震レベルが震度３であると判定した場合、ステップＳ７に進み、地震レベルが震度４であると判定した場合、ステップＳ８に進み、地震レベルが震度５であると判定した場合、ステップＳ９に進み、地震レベルが震度６以上であると判定した場合、ステップＳ１０に進む。
【００３４】
ステップＳ７において、装置縮退制御部２２ｂは、緊急地震速報記憶部２２ｃに記憶されている装置縮退テーブル（図３）を参照し、地震レベルが震度３の場合の装置縮退の設定情報を読み出す。これにより、モニタメッセージおよび音声が「あり」、Ｘ線照射Stopが「○」の装置縮退の設定情報が読み出される。
【００３５】
装置縮退制御部２２ｂは、読み出した装置縮退の設定情報に基づいて、Ｘ線ＣＴ撮影および治療を中断する（Ｘ線照射を中断する）ように医用画像診断装置２２の各部を制御する。また装置縮退制御部２２ｂは、図示せぬモニタに、例えば、「Ｘ線照射（または検査）を中断します」といった警告メッセージを表示させるとともに、図示せぬスピーカに、そのメッセージに対応する音声を警告アナウンスさせる。
【００３６】
このように、震度３の地震が発生すると予測される場合には、医用画像診断装置２２において、Ｘ線照射が中断されるとともに、警告が提示される。
【００３７】
ステップＳ８において、装置縮退制御部２２ｂは、緊急地震速報記憶部２２ｃに記憶されている装置縮退テーブル（図３）を参照し、地震レベルが震度４の場合の装置縮退の設定情報を読み出す。これにより、モニタメッセージおよび音声が「あり」、Ｘ線照射Stopが「○」の装置縮退の設定情報が読み出される。
【００３８】
装置縮退制御部２２ｂは、読み出した装置縮退の設定情報に基づいて、Ｘ線ＣＴ撮影および治療を停止する（Ｘ線照射を停止する）ように医用画像診断装置２２の各部を制御する。また装置縮退制御部２２ｂは、図示せぬモニタに、例えば、「Ｘ線照射（または検査）を中断します」といった警告メッセージを表示させるとともに、図示せぬスピーカに、そのメッセージに対応する音声を警告アナウンスさせる。
【００３９】
このように、震度４の地震が発生すると予測される場合には、医用画像診断装置２２において、Ｘ線照射が中断されるとともに、警告が提示される。
【００４０】
ステップＳ９において、装置縮退制御部２２ｂは、緊急地震速報記憶部２２ｃに記憶されている装置縮退テーブル（図３）を参照し、地震レベルが震度５の場合の装置縮退の設定情報を読み出す。これにより、モニタメッセージおよび音声が「あり」、Ｘ線照射Stopおよびウォームアップ前状態が「○」の装置縮退の設定情報が読み出される。
【００４１】
装置縮退制御部２２ｂは、読み出した装置縮退の設定情報に基づいて、Ｘ線ＣＴ撮影および治療を停止する（Ｘ線照射を停止する）とともに、ウォームアップ前状態にするように医用画像診断装置２２の各部を制御する。また装置縮退制御部２２ｂは、図示せぬモニタに、例えば、「Ｘ線照射（または検査）を中断します。再開する場合には、ウォームアップおよびエアキャリブ用の補正データの収集を行って下さい」といった警告メッセージを表示させるとともに、図示せぬスピーカに、そのメッセージに対応する音声を警告アナウンスさせる。
【００４２】
このように、震度５の地震が発生すると予測される場合には、医用画像診断装置２２において、Ｘ線照射が中断され、ウォームアップ前状態に戻されるとともに、警告が提示される。
【００４３】
ステップＳ１０において、装置縮退制御部２２ｂは、緊急地震速報記憶部２２ｃに記憶されている装置縮退テーブル（図３）を参照し、地震レベルが震度６以上の場合の装置縮退の設定情報を読み出す。これにより、モニタメッセージおよび音声が「あり」、Ｘ線照射Stop、ウォームアップ前状態、および主電源Offが「○」の装置縮退の設定情報が読み出される。
【００４４】
装置縮退制御部２２ｂは、読み出した装置縮退の設定情報に基づいて、直ちに主電源をOffするように医用画像診断装置２２を制御する。また装置縮退制御部２２ｂは、図示せぬモニタに、例えば、「Ｘ線照射（または検査）を緊急停止します。病院の指示に従って下さい。」といった警告メッセージを表示させるとともに、図示せぬスピーカに、そのメッセージに対応する音声を警告アナウンスさせる。
【００４５】
このように、震度６以上の地震が発生すると予測される場合には、医用画像診断装置２２において、主電源がOffされるとともに、警告が提示される。なお、主電源がOffされるため、Ｘ線ＣＴ撮影および治療も当然のことながら停止される。そして、再開する場合には、装置のウォームアップおよびエアキャリブ用の補正データの収集を行わなければならない。
【００４６】
ステップＳ３において、地震レベルが震度１と判定された場合には、処理は何も行われず、装置縮退制御処理は終了される。
【００４７】
以上のように、十数秒乃至数十秒後に起きる地震を予測して配信される緊急地震速報を受信したとき、その地震レベルに応じて装置縮退制御することにより、迅速かつ的確に装置の保全を行うことができる。例えば、地震レベルに応じてＸ線照射を中断することで、装置の揺れによる誤照射も防止することができる。
【００４８】
また、緊急地震速報を受信したときに発報されるメッセージやアナウンスから、患者は、安全に避難することができ、患者の保護を行うことも可能となる。さらに、医師や技師は、必要に応じて、地震が発生する直前までの検査情報をハードディスクやメディアに退避させることもできる。
【００４９】
ところで、胸部や骨の検査では単純なＸ線ＣＴ撮影が主体となるが、消化管や脈官系などのように、周囲組織との間にＸ線吸収の差がほとんどない場合には造影剤でコントラストを作りだし、その臓器を見えるようにする造影検査が必要になる。
【００５０】
そこで、造影検査が行われる場合も想定し、インジェクタ２３の装置縮退に関する情報を含んだ装置縮退テーブルの情報例を図５に示す。図５の例では、地震レベルが震度３以上の場合に、インジェクタStopが「○」の装置縮退の設定情報が記憶されている。その他の装置縮退の設定情報は、図３に示した装置縮退テーブルの情報例と同じである。
【００５１】
次に、図６のフローチャートを参照して、図５に示す装置縮退テーブルに基づいた、医用画像診断装置２２の装置縮退制御処理について説明する。なお、図６のフローチャートにおいて、上述の図４のフローチャートを用いて説明した処理と同一の処理には同一の符号を付してあり、重複する説明は省略する。
【００５２】
すなわち、ステップＳ１乃至Ｓ５の処理は、上述した通りである。ステップＳ６において、装置縮退制御部２２ｂは、地震レベルが何であるかを判定し、地震レベルが震度３以上であると判定した場合、ステップＳ６１に進む。
【００５３】
ステップＳ６１において、装置縮退制御部２２ｂは、緊急地震速報記憶部２２ｃに記憶されている装置縮退テーブル（図５）を参照し、地震レベルが震度３以上の場合におけるインジェクタStopが「○」の装置縮退の設定情報を読み出す。
【００５４】
そして、装置縮退制御部２２ｂは、造影検査中であるか否か、すなわち、インジェクタ２３が自動注入動作中であるか否かを判定し、造影検査中であると判定した場合、ステップＳ６２に進む。
【００５５】
ステップＳ６２において、装置縮退制御部２２ｂは、読み出した装置縮退の設定情報（インジェクタStopが「○」）に基づいて、図示せぬモニタやスピーカに、例えば、「インジェクタを停止します」といったメッセージの警告を提示させる。
【００５６】
ステップＳ６３において、装置縮退制御部２２ｂは、読み出した装置縮退の設定情報に基づいて、インジェクタ２３の自動注入動作を停止するように制御する。
【００５７】
このように、震度３以上の地震が発生すると予測される場合には、インジェクタ停止の警告が提示され、直ちにインジェクタ２３の自動注入動作が停止される。
【００５８】
ステップＳ６１において、造影検査中ではないと判定された場合、または、ステップＳ６３の処理の後、地震レベルに応じて、ステップＳ７乃至Ｓ１０に進む。ステップＳ７乃至Ｓ１０の処理は、上述した通りである。
【００５９】
以上のように、緊急地震速報を受信したとき、その地震レベルが震度３以上の場合には、直ちにインジェクタ２３の自動注入動作を停止することにより、無駄な造影剤の注入を防止することができ、人体への影響を最小限に抑えることができる。
【００６０】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【００６１】
２２−１乃至２２−３  医用画像診断装置
２３−１乃至２３−３  インジェクタ
２２ａ  緊急地震速報受信部
２２ｂ  装置縮退制御部
２２ｃ  緊急地震速報記憶部
【図１】
2010131361.tif 000003
【図２】
2010131361.tif 000004
【図３】
2010131361.tif 000005
【図４】
2010131361.tif 000006
【図５】
2010131361.tif 000007
【図６】
2010131361.tif 000008